(57)【要約】【課題】  テレビ放送を受信する機能を有する携帯端末において、録画したデータに再生不可能な画像が含まれていることをユーザに通知する。【解決手段】  テレビチューナ部１０１は、テレビ放送を受信してデコード等を行う。録画したデータは、記憶部１０２または外部記憶部１０４に保存される。このとき、制御部１０２は、テレビ放送番組を記録する際に、データパケット毎にそのデータパケットが再生可能かどうかを判別する情報を付加して記録する。そして、録画が完了した際にユーザに再生不可能なデータがあることを通知するか、あるいは、チャプタリストを作成する際に、再生不可能なチャプタがあることを視覚的に明示してユーザに通知する。【選択図】  図１
2007028000.tif 000002
【特許請求の範囲】
【請求項１】
テレビ放送を受信し、該受信したテレビ放送番組を記録する携帯端末において、
受信したテレビ放送を録画データとして記録する記録手段と、
テレビ放送番組の記録が完了した際、録画データの中に正常に記録できなかった部分を検出する再生不可能部分検出手段と、
前記再生不可能部分検出手段により正常に記録できなかった部分が検出された場合に、その旨をユーザに通知する通知手段と
を具備することを特徴とする携帯端末。
【請求項２】
前記記録手段に記録された録画データのチャプタリストを作成するチャプタリスト作成手段と、
前記チャプタリスト作成手段により作成されたチャプタリストを表示する表示手段と、
前記再生不可能部分検出手段により検出された、正常に記録できなかった部分をチャプタとして前記表示手段に表示させる表示制御手段と
をさらに具備することを特徴とする請求項１記載の携帯端末。
【請求項３】
前記チャプタリスト作成手段により作成されたチャプタリストの中からいずれかのチャプタを指定する指定手段と、
前記指定手段によりユーザにより指定されたチャプタを削除する削除手段と
をさらに具備することを特徴とする請求項１記載の携帯端末。
【請求項４】
前記再生不可能部分検出手段により検出された、正常に記録できなかった部分の一覧を作成する再生不可能部分一覧作成手段と、
前記再生不可能部分一覧作成手段により作成された、正常に記録できなかった部分の一覧を表示する表示手段と
をさらに具備することを特徴とする請求項１記載の携帯端末。
【請求項５】
前記再生不可能部分一覧作成手段により作成された、正常に記録できなかった部分の一覧の中からいずれかを指定する指定手段と、
前記指定手段によりユーザにより指定された、正常に記録できなかった部分を削除する削除手段と
をさらに具備することを特徴とする請求項４記載の携帯端末。
【請求項６】
テレビ放送を受信し、該受信したテレビ放送番組を記録するコンテンツ記録方法において、
受信したテレビ放送を録画データとして記録する記録ステップと、
テレビ放送番組の記録が完了した際、録画データの中に正常に記録できなかった部分を検出する再生不可能部分検出ステップと、
前記正常に記録できなかった部分が検出された場合に、その旨をユーザに通知する通知ステップと
からなることを特徴とするコンテンツ記録方法。
【請求項７】
コンピュータに、
受信したテレビ放送を録画データとして記録する記録機能、
テレビ放送番組の記録が完了した際、録画データの中に正常に記録できなかった部分を検出する再生不可能部分検出機能、
正常に記録できなかった部分が検出された場合に、その旨をユーザに通知する通知機能を実現することを特徴とするコンテンツ記録プログラム。
【発明の詳細な説明】
【技術分野】
【０００１】
本発明は、テレビ放送を受信し、該受信したテレビ放送番組を記録する携帯端末、コンテンツ記録方法およびコンテンツ記録プログラムに関する。
【背景技術】
【０００２】
近年、携帯電話をはじめとする携帯端末で、テレビを視聴することができるようになっている。また、デジタル放送が始まり、携帯端末においてもデジタル放送を受信し、受信したデジタル放送を録画する技術が提案されている（例えば、特許文献１参照）。
【特許文献１】特開２００４−１１２３７０号公報
【発明の開示】
【発明が解決しようとする課題】
【０００３】
ところで、ＤＶＤやハードディスクなどにデジタル録画する固定装置においては、一度設置すると頻繁には動かさない（少なくとも動作中には動かさない）ため、受信感度は安定している。天候等により一時的に受信感度が下がることもあるが、視聴できるレベルである。
【０００４】
これに対して、携帯端末は、移動しながら視聴する可能性あるため、受信感度の変動が大きい。例えば、電車に乗っていたら受信可能エリアを超えて圏外になったり、トンネルや地下に入って受信感度が著しく低下したりと様々な状況が考えられる。
【０００５】
従来の携帯端末で、上述したような状況で録画をすると、録画データの中に視聴不可能な部分が混じることになる。ユーザが、この録画データを再生すると、途中で意味のない画像が現れたり、または何も表示しない真っ黒な画面が表示されたりする。これはユーザにとって好ましい状況ではない。少なくとも、録画したデータの中に視聴不可能な部分があれば、予めユーザに通知しておくべきである。
【０００６】
そこで本発明は、録画データの中に再生不可能な部分が含まれていることを通知することができる携帯端末、コンテンツ記録方法およびコンテンツ記録プログラムを提供することを目的とする。
【課題を解決するための手段】
【０００７】
上記目的達成のため、請求項１記載の発明による携帯端末は、テレビ放送を受信し、該受信したテレビ放送番組を記録する携帯端末において、受信したテレビ放送を録画データとして記録する記録手段と、テレビ放送番組の記録が完了した際、録画データの中に正常に記録できなかった部分を検出する再生不可能部分検出手段と、前記再生不可能部分検出手段により正常に記録できなかった部分が検出された場合に、その旨をユーザに通知する通知手段とを具備することを特徴とする。
【０００８】
また、好ましい態様として、例えば請求項２記載のように、請求項１記載の携帯端末において、前記記録手段に記録された録画データのチャプタリストを作成するチャプタリスト作成手段と、前記チャプタリスト作成手段により作成されたチャプタリストを表示する表示手段と、前記再生不可能部分検出手段により検出された、正常に記録できなかった部分をチャプタとして前記表示手段に表示させる表示制御手段とをさらに具備するようにしてもよい。
【０００９】
また、好ましい態様として、例えば請求項３記載のように、請求項１記載の携帯端末において、前記チャプタリスト作成手段により作成されたチャプタリストの中からいずれかのチャプタを指定する指定手段と、前記指定手段によりユーザにより指定されたチャプタを削除する削除手段とをさらに具備するようにしてもよい。
【００１０】
また、好ましい態様として、例えば請求項４記載のように、請求項１記載の携帯端末において、前記再生不可能部分検出手段により検出された、正常に記録できなかった部分の一覧を作成する再生不可能部分一覧作成手段と、前記再生不可能部分一覧作成手段により作成された、正常に記録できなかった部分の一覧を表示する表示手段とをさらに具備するようにしてもよい。
【００１１】
また、好ましい態様として、例えば請求項５記載のように、請求項４記載の携帯端末において、前記再生不可能部分一覧作成手段により作成された、正常に記録できなかった部分の一覧の中からいずれかを指定する指定手段と、前記指定手段によりユーザにより指定された、正常に記録できなかった部分を削除する削除手段とをさらに具備するようにしてもよい。
【００１２】
また、上記目的達成のため、請求項６記載の発明によるコンテンツ記録方法は、テレビ放送を受信し、該受信したテレビ放送番組を記録するコンテンツ記録方法において、受信したテレビ放送を録画データとして記録する記録ステップと、テレビ放送番組の記録が完了した際、録画データの中に正常に記録できなかった部分を検出する再生不可能部分検出ステップと、前記正常に記録できなかった部分が検出された場合に、その旨をユーザに通知する通知ステップとからなることを特徴とする。
【００１３】
また、上記目的達成のため、請求項７記載の発明によるコンテンツ記録プログラムは、コンピュータに、受信したテレビ放送を録画データとして記録する記録機能、テレビ放送番組の記録が完了した際、録画データの中に正常に記録できなかった部分を検出する再生不可能部分検出機能、正常に記録できなかった部分が検出された場合に、その旨をユーザに通知する通知機能を実現することを特徴とする。
【発明の効果】
【００１４】
請求項１記載の発明によれば、記録手段により、受信したテレビ放送を録画データとして記録し、テレビ放送番組の記録が完了した際、再生不可能部分検出手段により、録画データの中に正常に記録できなかった部分を検出し、前記再生不可能部分検出手段により正常に記録できなかった部分が検出された場合に、通知手段により、その旨をユーザに通知するようにしたので、録画データの中に再生不可能な部分が含まれていることを通知することができるという利点が得られる。
【００１５】
また、請求項２記載の発明によれば、チャプタリスト作成手段により作成された、前記記録手段に記録された録画データのチャプタリストを表示手段に表示し、表示制御手段により、前記再生不可能部分検出手段により検出された、正常に記録できなかった部分をチャプタとして表示させるようにしたので、録画データの中に再生不可能な部分が含まれていることを通知することができ、より容易に再生不可部分を確認することができるという利点が得られる。
【００１６】
また、請求項３記載の発明によれば、指定手段により、チャプタリスト作成手段により作成されたチャプタリストの中からいずれかのチャプタを指定すると、削除手段により、指定されたチャプタを削除するようにしたので、録画データの中に再生不可能な部分が含まれていることを通知することができ、より容易に再生不可部分を確認することができ、さらに再生不可能部分を再生せずに済むことができるという利点が得られる。
【００１７】
また、請求項４記載の発明によれば、再生不可能部分一覧作成手段により、前記再生不可能部分検出手段により検出された、正常に記録できなかった部分の一覧を作成し、該一覧を表示手段に表示するようにしたので、録画データの中に再生不可能な部分が含まれていることを通知することができ、より容易に再生不可部分を確認することができるという利点が得られる。
【００１８】
また、請求項５記載によれば、指定手段により、前記再生不可能部分一覧作成手段により作成された、正常に記録できなかった部分の一覧の中からいずれかを指定された、正常に記録できなかった部分を削除手段により削除するようにしたので、録画データの中に再生不可能な部分が含まれていることを通知することができ、より容易に再生不可部分を確認することができ、さらに再生不可能部分を再生せずに済むことができるという利点が得られる。
【００１９】
また、請求項６記載の発明によれば、受信したテレビ放送を録画データとして記録する記録ステップと、テレビ放送番組の記録が完了した際、録画データの中に正常に記録できなかった部分を検出する再生不可能部分検出ステップと、前記正常に記録できなかった部分が検出された場合に、その旨をユーザに通知する通知ステップとからなるようにしたので、録画データの中に再生不可能な部分が含まれていることを通知することができるという利点が得られる。
【００２０】
また、請求項７記載の発明によれば、コンピュータに、受信したテレビ放送を録画データとして記録する記録機能、テレビ放送番組の記録が完了した際、録画データの中に正常に記録できなかった部分を検出する再生不可能部分検出機能、正常に記録できなかった部分が検出された場合に、その旨をユーザに通知する通知機能を実現するようにしたので、録画データの中に再生不可能な部分が含まれていることを通知することができるという利点が得られる。
【発明を実施するための最良の形態】
【００２１】
以下、本発明の実施の形態を、図面を参照して説明する。
図１は、本発明の実施形態によるテレビ放送受信可能な携帯端末の略構成を示すブロック図である。図において、携帯端末１は、テレビ放送受信可能な端末、例えば携帯電話などであり、テレビチューナ部１０１、記憶部１０２、制御部１０３、外部記憶部１０４、表示部１０５、再生制御部１０６を備えている。なお、本発明に関係のない通信関係などの構成については省略している。
【００２２】
テレビチューナ部１０１は、テレビ放送を受信してデコード等を行う。記憶部１０２は、設定値や各種データ、録画したデータなどを保存する。制御部１０３は、ＣＰＵなどからなり、所定のプログラムに従って端末全体を制御する。特に、本実施形態では、録画したデータのチャプタリストなどを生成する。外部記憶部１０４は、リムーバルディスクなどの記録媒体である。表示部１０５は、各種情報を表示する。再生制御部１０６は、録画したデータの再生を制御する。キー入力部１０７は、ユーザからの指示を入力する。
【００２３】
次に、図２は、一般的なチャプタリストを説明する模式図である。チャプタリストとは、録画したデータの特定ポイントにジャンプさせたり、内容を確認したりするために、所定の時間間隔、あるいは任意の間隔でデータのフレーム画像を抽出した表示した一覧である。図において、チャプタリスト画面２０１には、９つのチャプタ２０２が表示されており、各チャプタの下には、チャプタに関する情報２０３として、時間情報や概要説明などが表示されている。図示の例では、９つのチャプタが表示されているが、いくつ表示するかは適宜決めてもよい。
【００２４】
各チャプタ２０２は、ランダムアクセスポイントを有している。ランダムアクセスポイントについては、図３を参照して説明する。図３において、チャプタは、複数の画像（フレーム）からなり、該複数の画像において、ランダムアクセス可能な画像（ここでは、ランダムアクセス画像と呼ぶ）３０１、３０２、３０３と、ランダムアクセスできない画像（ここでは、参照画像と呼ぶ）３０４、３０５、３０６とが設定されている。複数の画像は、時間軸方向３０７に並んでおり、左から右に行くほど新しい画像になることを意味する。
【００２５】
ランダムアクセス画像３０１、３０２、３０３とは、前後の画面とは関係なく、その画面内だけで独立して符号化することによって得られる画像のことである。ランダムアクセス画像３０１、３０２、３０３は、時間方向の動き予測を行わずに、画面内の情報のみを用いて符号化処理を行うため、単体で復号できる。つまり、ランダムアクセス可能となる。一方、参照画像３０４、３０５、３０６とは、時間方向の動き予測を行って符号化された画像で、単体では復号できない。
【００２６】
したがって、図２に示すチャプタリスト画面２０１において、各チャプタ２０２に表示する画像としては、上述したランダムアクセスポイントである画像、図３の例では、ランダムアクセス画像３０１、３０２、３０３の中から選択する必要がある。
【００２７】
ところで、ユーザが録画しているデータをリアルタイムで視聴していれば、真っ黒な画像が再生されたり、意味不明な画像が再生されたりするので、当然、再生不可能なデータがあることに気づくことになる。これに対して、録画したデータを後から視聴する場合、例えば、電車に乗っていたら受信可能エリアを超えて圏外になったり、トンネルや地下に入って受信感度が著しく低下したりと様々な状況において、受信感度が低下するなどして、録画データの中に視聴不可能な部分が生じると、その部分を再生することができない。このような状況は、前述したようにユーザにとって好ましくない。
【００２８】
そこで、本実施形態では、録画データ内に再生不可能なデータがあることをユーザに通知するようになっている。ユーザがリアルタイムに視聴していない場合に通知する方法としては、以下の２つの方法が考えられる。
【００２９】
まず、第１の通知方法は、録画完了したら、図４に示すように、録画完了通知４０１を表示し、「録画できなかった部分があります。リストを見ますか？」というように、ユーザに対して、録画できなかった部分があることを通知するためのメッセージ４０２を表示する。ユーザがリストの閲覧を望めば、再生不可能なデータの一覧である、図５に示すような再生不可能リスト５０１を表示して、ユーザに再生不可能な部分を示す。再生不可能な部分は、ユーザにとって不必要な部分である。したがって、ユーザの操作によって削除指定された場合には削除してもよい。これにより、再生不可能な部分を再生する必要がなくなる。図において、時間情報５０２とは、再生不可能な画像の再生時間等を表しており、一定期間再生不可能であれば、その期間を表す時間情報を表示する。
【００３０】
第２の通知方法は、図６に示すように、チャプタリスト画面６０１でチャプタリストを表示する際に、正常に再生可能なチャプタ６０２と、再生不可能な部分を含むチャプタ６０３、６０４、６０５とを混在させる方法である。時間情報６０６とは、そのチャプタの再生時間等を表している。これにより、ユーザは、視覚的に再生不可能な部分を確認できる。さらに、再生不可能なチャプタ６０３、６０４、６０５がユーザにより削除指定された場合には、ワンタッチで削除してもよい。これにより、再生不可能な部分を再生する必要がなくなる。
【００３１】
いずれの通知方法においても、録画データ内に再生不可能なデータがあることをユーザに通知するためには、再生不可能なデータを検出する必要がある。通常、デジタル放送は、放送データを所定サイズのパケットに分割して送信されてくる。携帯端末１は、各パケットを再生可能なように組み立て直すことにより、番組として再生することができる。本実施形態では、デジタル放送の録画時に受信したデータパケットが再生可能であるか、不可能であるかを判別し、データパケットに対応させて記録するようになっている。
【００３２】
ここで、図７は、本実施形態による携帯電話１で、デジタル放送で放送される番組を記録する方法を説明するための概念図である。図７に示すように、各番組データパケット７０２毎に再生可能フラグ７０１を付加して、受信したデータパケットを記録する。再生可能フラグ７０１は、対応するデータパケットが再生可能であるか、再生不可能であるかを示す。再生可能フラグ７０１は、例えば、受信データのビットエラーレートを継続的に測定し、所定以下のビットエラーレートになって受信不可となった場合や、データパケットにエラーチェックビットが付加されていれば、エラーチェックにより受信不可であった場合に、再生不可とされる。
【００３３】
本実施形態では、再生可能フラグとして、「１」ならば再生可能、「０」ならば再生不可とする。実際には、システムの都合により様々な形式が考えられる。例えば、データパケット７０４の場合、再生可能フラグ７０１が再生可能「１」であるので再生可能であることを意味し、例えば、データパケット７０６の場合、再生可能フラグ７０１が再生不可「０」であるので再生不可能であることを意味する。したがって、再生可能フラグ７０１を参照することで、そのデータパケットが再生可能かどうか、すなわち視聴可能な部分であるか視聴不可能な部分であるかを判定することができる。
【００３４】
上述したように、再生可能なデータパケットであるか、再生不可能なデータパケットであるかは、再生可能フラグ７０１を参照することで判定することができることが分かったが、次に、再生不可能チャプタを抽出する方法について説明する。図７に示したように、各データパケット毎に再生可能フラグ７０１を付加して記録しているが、チャプタリストとして表示するためには、前述したように、ランダムアクセスポイントを見つける必要がある。
【００３５】
ここで、図８は、再生不可能なチャプタを抽出する方法を説明するためのフローチャートである。録画したデータからチャプタの抽出が開始されると（ステップＳ８０１）、まず、録画データの最後かどうかを判定する（ステップＳ８０２）。そして、録画データの最後であれば、当該処理を終了する（ステップＳ８０６）。一方、録画データの最後でなければ、次のデータパケットの再生可能フラグ３０１をチェックし（ステップＳ８０３）、再生可能フラグ３０１が再生不可能を示す「０」であるか否かを判定する（ステップＳ８０４）。
【００３６】
ここで、再生可能フラグが「１」ならば、再生可能であるので、ステップＳ８０２に戻り、録画データの最後になるまで、順次、再生可能フラグをチェックしていく。一方、再生可能フラグが「０」ならば、そのデータパケットは再生不可能であるので、該再生不可能データパケットの近傍のランダムアクセスポイントのパケットＩＤを探索して記録するとともに、データの再生開始時間情報も併せて記録する（ステップＳ８０５）。
【００３７】
ここで、図９は、図８に示すステップＳ８０５における記録状態を示す概念図である。９０１は再生不可能データ近傍のランダムアクセスポイントのパケットＩＤ、９０２は再生不可能データの再生開始時間情報である。このように、上述した処理を実行することにより、録画データから、再生不可能なデータパケットが含まれるチャプタを抽出することでき、図６に示すようなチャプタリスト画面６０１において、再生不可能なチャプタとして、再生不可能データ近傍のランダムアクセス画像を表示することができる。
【００３８】
なお、仮に、図７に示す再生可能フラグ７０１に「０」が連続してる場合、つまり一定期間再生不可能な場合には、上述した処理において、同一のランダムアクセスポイントが抽出されるが、その場合は再生時間情報のみを変更すればよい。
【００３９】
また、本実施形態では、再生可能フラグ７０１を付加することにより、再生可能かどうかを判定しているが、受信したデータパケットにタイムスタンプが付加されていれば、該タイムスタンプを用いて正常に記録されていないことを検出するようにしてもよい。例えば、図１０に示すように、受信した番組のデータパケット１００１は、ヘッダ１００２、データ本体１００３で構成されており、さらにヘッダ１００２はタイムスタンプ１００４とその他のデータ１００５で構成されているとする。各データパケットに付加されているタイムスタンプ１００４同士の間隔は、一定間隔とは限らないが、正常にデータを受信していれば所定の間隔内に収まっているはずである。すなわち、タイムスタンプ１００４の間隔をチェックし、所定の間隔以上開いていればその間のデータが欠けていることを示している。よって、このデータが欠けている部分をユーザに通知することが可能となる。
【００４０】
上述した実施形態によれば、デジタル放送を記録する際に、受信したパケット毎に再生可能かどうかの情報付加し、これらの情報を元にユーザに対して、録画データの中に再生不可能な部分が含まれていることを通知することが可能となる。これにより、ユーザに不快な思いをさせることがなくなるという効果がある。
【図面の簡単な説明】
【００４１】
【図１】本発明の実施形態によるテレビ放送受信可能な携帯端末の略構成を示すブロック図である。
【図２】一般的なチャプタリストを説明する模式図である。
【図３】一般的なランダムアクセス画像を説明する概念図である。
【図４】録画完了通知の一例を説明する模式図である。
【図５】再生不可能リストの表示例を説明する模式図である。
【図６】再生可能チャプタを含むチャプタリストを示すも模式図である。
【図７】再生可能フラグを説明する概念図である。
【図８】本実施形態での再生不可能データ近傍のランダムアクセスポイントを抽出する方法を説明するフローチャートである。
【図９】再生不可能データ近傍のランダムアクセスポイントを記録する例を説明する概念図である。
【図１０】データパケットに付加されているタイムスタンプを利用する一例を説明する概念図である。
【符号の説明】
【００４２】
１  テレビ放送受信携帯端末
１０１  テレビチューナ
１０２  メモリ（記録手段）
１０３  制御部（再生不可能部分検出手段、通知手段、チャプタリスト作成手段、表示制御手段、削除手段、再生不可能部分一覧作成手段）
１０４  外部メモリ（記録手段）
１０５  表示部（通知手段、表示手段）
１０６  再生制御部
１０７  キー入力部（指定手段）
２０１  チャプタリスト画面
２０２  チャプタ
２０３  チャプタに関する情報
３０１、３０２、３０３  ランダムアクセス可能画像
３０４、３０５、３０６  ランダムアクセスできない画像
３０７  時間軸方向
４０１  録画完了通知
４０２  メッセージ
５０１  再生不可能リスト
５０２  時間情報
６０１  チャプタリスト
６０２  正常に再生可能なチャプタ
６０３、６０４、６０５  再生不可能な部分を含むチャプタ
６０６  時間情報
７０１  再生可能フラグ
７０２  番組データパケット
７０４、７０６  データパケット
９０１  再生不可能データ近傍のランダムアクセスポイントのパケットＩＤ
９０２  再生不可能データの再生開始時間情報
１００１  データパケット
１００２  ヘッダ
１００３  データ本体
１００４  タイムスタンプ
１００５  その他のデータ
【図１】
2007028000.tif 000003
【図２】
2007028000.tif 000004
【図３】
2007028000.tif 000005
【図４】
2007028000.tif 000006
【図５】
2007028000.tif 000007
【図６】
2007028000.tif 000008
【図７】
2007028000.tif 000009
【図８】
2007028000.tif 000010
【図９】
2007028000.tif 000011
【図１０】
2007028000.tif 000012